(57)【要約】【課題】透かしてみても隠蔽情報を視認できない三紙片からなる隠蔽葉書を提供する。【課題の解決手段】隠蔽葉書１７は、三枚の紙片２，３，４を剥離可能に接着し、重ね合わせ面に表示した他人には知られたくない隠蔽情報を被覆隠蔽してなり、上紙片２の重ね合わせ面、中紙片３の重ね合わせ面、下紙片４の表出面には、シアン、マゼンタ、イエローの各色から選択した一色からなるカムフラージュ印刷１５，１４，１６を、ベタ印刷あるいは地紋印刷で施し、三枚の紙片２，３，４を重ね合わせたときに三色のカムフラージュ印刷１５，１４，１６が上下に対応するよう構成することにより、各色は隠蔽情報を印字する通常の黒色インキとは明確に識別される一方、三色が重なり合って黒色状になることで、不透明性を高めるものである。【選択図】　　図５
2004122418.tif 000002
【特許請求の範囲】
【請求項１】
三枚の紙片を剥離可能に接着し、重ね合わせ面に表示した他人には知られたくない隠蔽情報を被覆隠蔽してなる隠蔽葉書であって、各紙片の少なくとも一面には、シアン、マゼンタ、イエローの各色から選択した一色からなるカムフラージュ印刷を施し、三枚の紙片を重ね合わせたときに三色のカムフラージュ印刷が上下に対応するよう構成したことを特徴とする隠蔽葉書。
【請求項２】
カムフラージュ印刷を施す面は、二つの重ね合わせ面における各一面と、表出面の一方であることを特徴とする請求項１記載の隠蔽葉書。
【発明の詳細な説明】
【０００１】
【発明の属する技術分野】
本発明は、他人には知られたくない隠蔽情報を隠蔽した状態で伝達するための、三枚の紙片を剥離可能に重ね合わせてなる隠蔽葉書に関する。
【０００２】
【従来の技術】
従来からこの種隠蔽葉書は多くの構成が知られているが、二枚あるいは三枚の紙片の重ね合わせ面を剥離することにより、重ね合わせ面に表示していた隠蔽情報を視認可能にするよう構成するのが一般的である。隠蔽葉書は、隠蔽情報が他人に視認されないことが重要であるが、葉書として使用するには重量に関する法的規制があるので、紙厚を厚くすることでは対応できないため、各紙片の不透明性を高めるために、宛名情報を表示しない表出面や重ね合わせ面に、ベタ印刷や地紋印刷を施している。そして、三枚の紙片を重ね合わせてなる隠蔽葉書にあっては、一枚の紙片の厚さは、二枚の紙片を重ね合わせてなる隠蔽葉書よりも、より一層の制約を受けたものとなる。ところが、前記ベタ印刷や地紋印刷だけでは、不透明性の向上は必ずしも十分とはいえず、隠蔽葉書を透かしてみると、隠蔽情報が視認される場合も生じていた。
【０００３】
これを防ぐために、従来においては、不透明性を高める手段として、重ね合わせ面に、高濃度なインキを用いた光遮蔽性インキ層を設けたり（例えば、特許文献１参照）、疑似接着する二枚のフィルムを有色にする（例えば、特許文献２参照）ことが提案されている。
【０００４】
【特許文献１】
特開平８−１７５０５５号公報（図２）
【特許文献２】
特開平１１−５９０２８号公報（図３）
【０００５】
【発明が解決しようとする課題】
しかしながら、従来の高濃度なインキを用いた光遮蔽性インキ層を設けた構成にあっては、この光遮蔽性インキ層と重なって印字される隠蔽情報が見にくいので、前記光遮蔽性インキ層上に設けた剥離可能な接着剤に白色系の充てん剤を添加する必要があるため、インキ濃度と白色系充てん剤の添加量との調整が難しいという不都合があり、また、疑似接着する二枚のフィルムを有色にする構成においても、各フィルムの透視可能性は維持しつつ、二枚重なった状態での不透明性を確保するよう有色化することが難しいという不都合があった。本発明はこれらの不都合を解消した三紙片からなる隠蔽葉書を提供することを目的とする。
【０００６】
【課題を解決するための手段】
この目的を達成するため、本発明の請求項１に係る隠蔽葉書は、三枚の紙片を剥離可能に接着し、重ね合わせ面に表示した他人には知られたくない隠蔽情報を被覆隠蔽してなる隠蔽葉書であって、各紙片の少なくとも一面には、シアン、マゼンタ、イエローの各色から選択した一色からなるカムフラージュ印刷を、ベタ印刷あるいは地紋印刷で施し、三枚の紙片を重ね合わせたときに三色のカムフラージュ印刷が上下に対応するよう構成することにより、各色は隠蔽情報を印字する通常の黒色インキとは明確に識別される一方、三色が重なり合った状態では黒色状になることで、不透明性を向上するものである。
【０００７】
同じく上記目的を達成するために、本発明の請求項２に係る隠蔽葉書は、上記構成において、カムフラージュ印刷を施す面は、二つの重ね合わせ面における各一面と、表出面の一方であることを特徴とするものである。
【０００８】
【発明の実施の形態】
以下、本発明の好適な実施形態を添付図面に基づいて詳細に説明する。ここにおいて、図１は葉書形成前のシート状態における表面側を示す平面図、図２は同じく裏面側を示す平面図、図３は図１の概略的なＡ−Ａ線断面図、図４は隠蔽葉書の斜視図、図５は隠蔽葉書におけるカムフラージュ印刷の重なり状態を示す概略説明図である。
【０００９】
図１〜図３に示すように、隠蔽葉書用シート１は、上紙片２、中紙片３、下紙片４を折り用ミシン目５，６を介して連接してなる。前記上紙片２は、表面側が宛名情報７の表示面となり、前記中紙片３の裏面側と重なり合う裏面側が隠蔽情報８の表示面となっている。また、前記中紙片３は、前記下紙片４の表面側と重なり合う表面側、及び前記上紙片２の裏面側と重なり合う裏面側の両面が、隠蔽情報９，１０の表示面となっている。さらに、前記下紙片４は、裏面側が差出人情報１１の表示面となり、前記中紙片３の表面側と重なり合う表面側が隠蔽情報１２の表示面となっている。
【００１０】
図３に示すように、隠蔽葉書用シート１の各重ね合わせ面には、通常では接着せず所定の圧を加えると接着可能となり、接着後に剥離可能で、印字、印刷が可能な感圧性接着剤１３を全面的に塗布し、この塗布面に上述の各情報１０，１２を印字しているものである。この感圧性接着剤１３としては、印字、印刷が可能で一旦接着すると剥離困難な非剥離性接着剤基剤に、この接着剤基剤に対して非親和性を示す微粒状充てん剤を配合してものが好適である。
【００１１】
上述の接着剤基剤としては、公知の感圧性接着剤を用いればよいが、特に挙げれば、天然ゴムにスチレンとメタクリル酸メチルとをグラフト共重合させて得られた天然ゴムラテックスが、耐ブロッキング性、耐熱性、耐摩耗性等の点で好適である。一方、上述の微粒状充てん剤としては、前記接着剤基剤との親和性が小さいもの、例えば、酸化亜鉛、酸化チタン、炭酸カルシュウム、カオリン、活性白土、球状アルミナ、小麦デンプン、シリカ、ガラス粉末、シラスバルーン等がある。これらの材料は、単独でも、複数組み合わせてもよいが、特に、シリカと他の適宜な充てん剤との組み合わせが好適である。
【００１２】
図３に示すように、中紙片３の重ね合わせ面の一方である表面側には、周縁部を除いた部分（図１に示す一点鎖線で囲まれた領域）に、感圧性接着剤１３の上からマゼンタのインキでベタ印刷や地紋印刷をしてなるカムフラージュ印刷１４を施し、さらにこのカムフラージュ印刷１４の上に上述の隠蔽情報９を印字している。また、上紙片２の重ね合わせ面である裏面側には、周縁部を除いた部分（図２に示す一点鎖線で囲まれた領域）に、感圧接着剤１３の上からイエローのインキでベタ印刷や地紋印刷してなるカムフラージュ印刷１５を施し、さらにこのカムフラージュ印刷１５の上に上述の隠蔽情報８を印字している。さらに、下紙片９の表出面である裏面側には、周縁部を除いた部分（図２に示す一点鎖線で囲まれた領域）に、シアンのインキでベタ印刷や地紋印刷をしてなるカムフラージュ印刷１６を施し、さらにこのカムフラージュ印刷１６の上に上述の差出人情報１１を印字している。
【００１３】
そして、隠蔽葉書用シート１を各折り用ミシン目５，６で重ね合わせ面同士を対接するようにジグザグ状に三つ折りし、感圧性接着剤１３の接着条件である所定の圧を加えることで、図４に示すように、重ね合わせ面を剥離可能に接着した隠蔽葉書１７を得ることができる。この状態で、各隠蔽情報８，９，１０，１２は外部からは視認できない隠蔽状態となるとともに、図５に示すように、各カムフラージュ印刷１４，１５，１６が重なり合って、マゼンタ、イエロー、シアンの三色を混合した黒色インキで印刷したカムフラージュ印刷と同様の色合いとなり、外部から透かしても前記各隠蔽情報８，９，１０，１２は視認不能となる。そして、この隠蔽葉書１７は、通常の葉書と同様に投函可能である。
【００１４】
この隠蔽葉書１７を受領した宛名人は、上紙片２と下紙片３の重ね合わせ面及び中紙片３と下紙片４の重ね合わせ面を相対的に離反して、各重ね合わせ面を剥離し、各重ね合わせ面に表示されていた隠蔽情報８，９，１０，１２を視認することができる。この際、隠蔽情報８，９，１０，１２は黒色インキで印字され、背景となる各カムフラージュ印刷１４，１５，１６は、それぞれマゼンタ、イエロー、シアンの各色なので、前記隠蔽情報８，９，１０，１２の視認は容易なものである。
【００１５】
なお、本発明は、上述した実施形態に限定されるものではなく、例えば、カムフラージュ印刷１４，１５，１６を施す面は、上述の各面に限らず、各紙片２，３，４の表裏両面すべてであってもよく、この場合には、シアン、マゼンタ、イエローの各色をそれぞれ二面に施すとよい。さらに、感圧性接着剤１３の上にカムフラージュ印刷１４，１５，１６を施すと、前記感圧性接着剤１３の接着力の弱化調整にも寄与することになるが、カムフラージュ印刷１４，１５，１６の上に、感圧性接着剤１３を塗布してもよいものである。
【００１６】
【発明の効果】
以上説明したところで明らかなように、本願の請求項１に係る発明によれば、隠蔽葉書を形成する紙片に、シアン、マゼンタ、イエローの各色からなるカムフラージュ印刷を上下に対応するよう設けたので、重ね合わせ面を開いた状態では、カムフラージュ印刷と隠蔽情報とを明瞭に識別可能とする一方、重ね合わせ状態では、三色が混合した黒色のカムフラージュ印刷と同様になり、外部から透かして隠蔽情報を視認することができないという効果を奏する。
【００１７】
また、本願の請求項２に係る発明によれば、上記請求項１に係る発明の効果に加えて、各色のカムフラージュ印刷を一面ずつ設けて効率よく不透明性を向上できるという効果を奏する。
【図面の簡単な説明】
【図１】葉書形成前のシート状態における表面側を示す平面図。
【図２】同じく裏面側を示す平面図。
【図３】図１のＡ−Ａ線断面図。
【図４】隠蔽葉書を示す斜視図。
【図５】隠蔽葉書におけるカムフラージュ印刷の重なり状態を示す概略説明図。
【符号の説明】
１　　　隠蔽葉書用シート
２　　　上紙片
３　　　中紙片
４　　　下紙片
５，６　　　折り用ミシン目
８，９，１０，１２　　　隠蔽情報
１３　　　感圧性接着剤
１４，１５，１６　　　カムフラージュ印刷
１７　　　隠蔽葉書
【図１】
2004122418.tif 000003
【図２】
2004122418.tif 000004
【図３】
2004122418.tif 000005
【図４】
2004122418.tif 000006
【図５】
2004122418.tif 000007